【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ａ）を満足するズームレンズ、及び、前記ズームレンズの像面側に配置された電子撮像素子を有することを特徴とする電子撮像装置。
（ａ）    ７＜ｄNP・Ａ＜２７
ただし、Ａ＝４３．２／Ｌ（Ｌは電子撮像素子の有効撮像領域の対角長）、ｄNPは第１レンズ群の２枚のレンズの光軸上での間隔である。
【請求項２】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｂ）を満足するズームレンズ、及び、前記ズームレンズの像面側に配置された電子撮像素子を有することを特徴とする電子撮像装置。
（ｂ）    ２０＜ｔ1 ・Ａ＜５０
ただし、Ａ＝４３．２／Ｌ（Ｌは電子撮像素子の有効撮像領域の対角長）、ｔ1 は第１レンズ群の光軸上の総厚である。
【請求項３】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｃ）を満足するズームレンズ、及び、前記ズームレンズの像面側に配置された電子撮像素子を有することを特徴とする電子撮像装置。
（ｃ）    ２０＜Ｄ2 ・Ａ＜４５
ただし、Ａ＝４３．２／Ｌ（Ｌは電子撮像素子の有効撮像領域の対角長）、Ｄ2 は第２レンズ群の光軸上の総厚である。
【請求項４】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｄ）を満足するズームレンズ、及び、前記ズームレンズの像面側に配置された電子撮像素子を有することを特徴とする電子撮像装置。
（ｄ）    ３０＜（ｔ1 ＋Ｄ2 ）・Ａ＜９０
ただし、Ａ＝４３．２／Ｌ（Ｌは電子撮像素子の有効撮像領域の対角長）、ｔ1 、Ｄ2 はそれぞれ第１レンズ群、第２レンズ群の光軸上の総厚である。
【請求項５】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｅ）を満足するズームレンズ、及び、前記ズームレンズの像面側に配置された電子撮像素子を有することを特徴とする電子撮像装置。
（ｅ）    ３０＜−ｆ11・Ａ＜７０
ただし、Ａ＝４３．２／Ｌ（Ｌは電子撮像素子の有効撮像領域の対角長）、ｆ11は第１レンズ群の２枚のレンズの中の物体側のレンズの焦点距離である。
【請求項６】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｆ）を満足するズームレンズ、及び、前記ズームレンズの像面側に配置された電子撮像素子を有することを特徴とする電子撮像装置。
（ｆ）    ９０＜ｆ12・Ａ＜２５０
ただし、Ａ＝４３．２／Ｌ（Ｌは電子撮像素子の有効撮像領域の対角長）、ｆ12は第１レンズ群の２枚のレンズの中の像側のレンズの焦点距離である。
【請求項７】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｇ）を満足するズームレンズ、及び、前記ズームレンズの像面側に配置された電子撮像素子を有することを特徴とする電子撮像装置。
（ｇ）    ２０＜ｆ21・Ａ＜４２
ただし、Ａ＝４３．２／Ｌ（Ｌは電子撮像素子の有効撮像領域の対角長）、ｆ21は第２レンズ群の２枚のレンズの中の物体側のレンズの焦点距離である。
【請求項８】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｈ）を満足するズームレンズ、及び、前記ズームレンズの像面側に配置された電子撮像素子を有することを特徴とする電子撮像装置。
（ｈ）    ０．６＜Φ21／Φw ＜１．０５
ただし、Φ21、Φw はそれぞれ第２レンズ群の２枚のレンズの中の物体側のレンズの、そして広角端における全系の屈折力である。
【請求項９】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｉ）を満足するズームレンズ、及び、前記ズームレンズの像面側に配置された電子撮像素子を有することを特徴とする電子撮像装置。
（ｉ）    １９．５＜Ｒ21・Ａ＜４５
ただし、Ａ＝４３．２／Ｌ（Ｌは電子撮像素子の有効撮像領域の対角長）、Ｒ21は第２レンズ群を構成する最も物体側の屈折面の曲率半径である。
【請求項１０】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｊ）を満足するズームレンズ、及び、前記ズームレンズの像面側に配置された電子撮像素子を有することを特徴とする電子撮像装置。
（ｊ）    ４０＜−ｆ22・Ａ＜１４０
ただし、Ａ＝４３．２／Ｌ（Ｌは電子撮像素子の有効撮像領域の対角長）、ｆ22は第２レンズ群の２枚のレンズの中の像側のレンズの焦点距離である。
【請求項１１】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｋ）を満足するズームレンズ、及び、前記ズームレンズの像面側に配置された電子撮像素子を有することを特徴とする電子撮像装置。
（ｋ）    ０．３３＜−Φ22／Φw ＜０．８０
ただし、Φ22、Φw はそれぞれ第２レンズ群の２枚のレンズの中の像側のレンズの、そして広角端における全系の屈折力である。
【請求項１２】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｌ）を満足するズームレンズ、及び、前記ズームレンズの像面側に配置された電子撮像素子を有することを特徴とする電子撮像装置。
（ｌ）    −１＜（Ｒ21＋Ｒ22）／（Ｒ21−Ｒ22）＜０
ただし、Ｒ21は第２レンズ群中の物体側に配されたレンズの物体側面の光軸上における曲率半径であり、Ｒ22は第２レンズ群中の物体側に配されたレンズの像側面の光軸上における曲率半径である。
【請求項１３】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｍ）を満足するズームレンズ、及び、前記ズームレンズの像面側に配置された電子撮像素子を有することを特徴とする電子撮像装置。
（ｍ）    ０．２５＜（Ｒ23＋Ｒ24）／（Ｒ23−Ｒ24）＜３．４
ただし、Ｒ23は第２レンズ群中の像側に配されたレンズの物体側面の光軸上における曲率半径であり、Ｒ24は第２レンズ群中の像側に配されたレンズの像側面の光軸上における曲率半径である。
【請求項１４】
物体側より順に、２枚のレンズからなり全体として負のパワーを持つ第１レンズ群と、２枚のレンズからなり全体として正のパワーを持つ第２レンズ群とから構成され、前記第１レンズ群と第２レンズ群との空気間隔を変えることによって全群の焦点距離を変化させることができ、以下の条件（ｎ）を満足するズームレンズ、及び、前記ズームレンズの像面側に配置された電子撮像素子を有することを特徴とする電子撮像装置。
（ｎ）    ７２＜νd21 ＜１００
ただし、νd21 は第２レンズ群の物体側正レンズの媒質のアッベ数である。
【請求項１５】
物体側より順に、負レンズ、正レンズの２枚からなり、全体として負のパワーを持つ第１レンズ群と、物体側より、開口絞り、正レンズ、負レンズの２枚からなり、全体として正のパワーを持つ第２レンズ群から構成され、広角端から望遠端へ変倍するときに、前記第１レンズ群と第２レンズ群の間隔が小さくなり、前記第１レンズ群は非球面を有し、前記第２レンズ群は最も物体側の面に非球面を有し、かつ、以下の条件式（１）、（２）を満たすズームレンズ、及び、前記ズームレンズの像面側に配置された電子撮像素子を有することを特徴とする電子撮像装置。
（１）    ０．６＜（Ｒ23＋Ｒ24）／（Ｒ23−Ｒ24）＜３．０
（２）    ０．０８＜ｔ2N／Ｄ2 ＜０．２８
ただし、Ｒ23は第２レンズ群の負レンズの物体側の面の光軸近傍の曲率半径、Ｒ24は第２レンズ群の負レンズの像面側の面の光軸近傍の曲率半径、Ｄ2 は第２レンズ群の正レンズの物体側の面から第２レンズ群の負レンズの像側の面までの光軸上の厚さ、ｔ2Nは第２レンズ群の正レンズの像側の面から第２レンズ群の像側の面までの光軸上の距離である。
【請求項１６】
物体側より順に、最も物体側が負レンズで最も像側が正レンズであり全体として負のパワーを持つ第１レンズ群と、物体側より、開口絞り、正レンズ、負レンズの２枚からなり、全体として正のパワーを持つ第２レンズ群と、正レンズ１枚からなる第３レンズ群とを有し、広角端から望遠端へ変倍するときに、前記第１レンズ群と第２レンズ群の間隔が小さくなり、前記第２レンズ群と前記第３レンズ群との間隔が大きくなり、前記第１レンズ群は非球面を有し、前記第２レンズ群は最も物体側の面に非球面を有し、かつ、第２レンズ群の負レンズの形状が、以下の条件式（１）を満たすズームレンズ、及び、前記ズームレンズの像面側に配置された電子撮像素子を有することを特徴とする電子撮像装置。
（１）    ０．６＜（Ｒ23＋Ｒ24）／（Ｒ23−Ｒ24）＜３．０
ただし、Ｒ23は第２レンズ群の負レンズの物体側の面の光軸近傍の曲率半径、Ｒ24は第２レンズ群の負レンズの像面側の面の光軸近傍の曲率半径である。
【請求項１７】
物体側より順に、最も物体側が負レンズで最も像側が正レンズであり全体として負のパワーを持つ第１レンズ群と、物体側より、開口絞り、正レンズ、負レンズの２枚からなり、全体として正のパワーを持つ第２レンズ群と、正レンズ１枚からなる第３レンズ群とを有し、広角端から望遠端へ変倍するときに、前記第１レンズ群と第２レンズ群の間隔が小さくなり、前記第２レンズ群と前記第３レンズ群との間隔が大きくなり、前記第１レンズ群は非球面を有し、前記第２レンズ群は最も物体側の面に非球面を有し、以下の条件式（２）を満たすズームレンズ、及び、前記ズームレンズの像面側に配置された電子撮像素子を有することを特徴とする電子撮像装置。
（２）    ０．０８＜ｔ2N／Ｄ2 ＜０．２８
ただし、Ｄ2 は第２レンズ群の正レンズの物体側の面から第２レンズ群の負レンズの像側の面までの光軸上の厚さ、ｔ2Nは第２レンズ群の正レンズの像側の面から第２レンズ群の像側の面までの光軸上の距離である。
【請求項１８】
物体側より順に、負レンズ、正レンズの２枚、若しくは、負レンズ、負レンズ、正レンズの３枚からなり、全体として負のパワーを持つ第１レンズ群と、物体側より、開口絞り、正レンズ、負レンズからなり、全体として正のパワーを持つ第２レンズ群とを有し、広角端から望遠端へ変倍するときに、前記第１レンズ群と第２レンズ群の間隔が小さくなり、前記第１レンズ群は非球面を有し、前記第２レンズ群は最も物体側の面に非球面を有し、以下の条件式（１）、（２）を満たすズームレンズ、及び、前記ズームレンズの像面側に配置された電子撮像素子を有することを特徴とする電子撮像装置。
（１）    ０．６＜（Ｒ23＋Ｒ24）／（Ｒ23−Ｒ24）＜３．０
（２）    ０．０８＜ｔ2N／Ｄ2 ＜０．２８
ただし、Ｒ23は第２レンズ群の負レンズの物体側の面の光軸近傍の曲率半径、Ｒ24は第２レンズ群の負レンズの像面側の面の光軸近傍の曲率半径、Ｄ2 は第２レンズ群の正レンズの物体側の面から第２レンズ群の負レンズの像側の面までの光軸上の厚さ、ｔ2Nは第２レンズ群の正レンズの像側の面から第２レンズ群の像側の面までの光軸上の距離である。
【請求項１９】
前記第１レンズ群に、屈折面有効部の中の最周辺部が光軸近傍の曲率中心の存在する方向と反対側へ凹形状となる面を少なくとも１面含むことを特徴とする請求項１〜１８の何れか１項記載の電子撮像装置。
【請求項２０】
前記第１レンズ群に、屈折面有効部の中の最周辺部が光軸近傍の曲率中心の存在する方向と反対側が凹形状となる面を少なくとも２面含むことを特徴とする請求項１〜１８の何れか１項記載の電子撮像装置。
【請求項２１】
第２レンズ群の最も像側の面が非球面であることを特徴とする請求項１〜１８の何れか１項記載の電子撮像装置。
【請求項２２】
前記条件（２）に代えて以下の条件（３）を満足することを特徴とする請求項１５、１７、１８の何れか１項記載の電子撮像装置。
（３）    ０．３＜Ｄ2 ／ｆW ＜１．５
ただし、Ｄ2 は第２レンズ群の正レンズの物体側の面から第２レンズ群の負レンズの像側の面までの光軸上の厚さ、ｆW は広角端での全系での焦点距離（無限遠物点合焦時）である。
【請求項２３】
前記条件（２）に代えて以下の条件（４）を満足することを特徴とする請求項１５、１７、１８の何れか１項記載の電子撮像装置。
（４）    ０．２４＜Ｄ2 ／Ｌ＜１．２
ただし、Ｄ2 は第２レンズ群の正レンズの物体側の面から第２レンズ群の負レンズの像側の面までの光軸上の厚さ、Ｌは電子撮像素子の有効撮像領域の対角長である。
【請求項２４】
前記条件（２）に代えて以下の条件（３）、（４）を満足することを特徴とする請求項１５、１７、１８の何れか１項記載の電子撮像装置。
（３）    ０．３＜Ｄ2 ／ｆW ＜１．５
（４）    ０．２４＜Ｄ2 ／Ｌ＜１．２
ただし、Ｄ2 は第２レンズ群の正レンズの物体側の面から第２レンズ群の負レンズの像側の面までの光軸上の厚さ、ｆW は広角端での全系での焦点距離（無限遠物点合焦時）、Ｌは電子撮像素子の有効撮像領域の対角長である。
【請求項２５】
以下の条件（５）を満足することを特徴とする請求項１５〜２４の何れか１項記載の電子撮像装置。
（５）    １．６＜ｎ21＜１．９
ただし、ｎ21は第２レンズ群の正レンズの屈折率である。
【請求項２６】
以下の条件（６）を満足することを特徴とする請求項１５〜２５の何れか１項記載の電子撮像装置。
（６）    −１．５＜Ｒ21／Ｒ22＜０．２
ただし、Ｒ21は第２レンズ群の正レンズの物体側面の光軸上における曲率半径、Ｒ22は第２レンズ群の正レンズの像側面の光軸上における曲率半径である。
【請求項２７】
以下の条件（７）を満足することを特徴とする請求項１５〜２６の何れか１項記載の電子撮像装置。
（７）    −１．０＜Ｒ22／Ｒ23＜０．５
ただし、Ｒ22は第２レンズ群の正レンズの像側面の光軸上における曲率半径、Ｒ23は第２レンズ群の負レンズの物体側面の光軸上における曲率半径である。
【請求項２８】
以下の条件（８）を満足することを特徴とする請求項１５〜２７の何れか１項記載の電子撮像装置。
（８）    −０．３＜Ｒ24／Ｒ23＜０．５
ただし、Ｒ24は第２レンズ群の負レンズの像側面の光軸上における曲率半径、Ｒ23は第２レンズ群の負レンズの物体側面の光軸上における曲率半径である。
【請求項２９】
以下の条件（９）を満足することを特徴とする請求項１５〜２７の何れか１項記載の電子撮像装置。
（９）    ０．５＜Ｒ24／Ｒ21＜２．０
ただし、Ｒ24は第２レンズ群の負レンズの像側面の光軸上における曲率半径、Ｒ21は第２レンズ群の正レンズの物体側面の光軸上における曲率半径である。
【請求項３０】
前記第３レンズ群がフォーカシング時に移動する群であり、かつ、第３レンズ群の全ての屈折面が以下に示す条件（１）を満足する偏奇量の小さい屈折面であることを特徴とする請求項１６又は１７記載の電子撮像装置。
（１０）  ｜abs （Ｚ）｜／Ｌ＜１．５×１０-2
ただし、Ｌは電子撮像素子の有効撮像領域の対角長、abs （Ｚ）は光軸からの高さが０．３５Ｌの位置における第３レンズ群の各屈折面の光軸上の曲率半径を有する球面から前記屈折面までの光軸方向への偏奇量である。
【請求項３１】
前記第３レンズ群がフォーカシング時に移動する群であり、かつ、第３レンズ群の全ての屈折面が球面であることを特徴とする請求項１６又は１７記載の電子撮像装置。
【請求項３２】
前記第３レンズ群がフォーカシング時に移動する群であり、前記第３レンズ群の正レンズが以下の条件（１１）を満足することを特徴とする請求項１６、１７、３０、３１の何れか１項記載の電子撮像装置。
（１１）  −２．０＜（Ｒ31＋Ｒ32）／（Ｒ31−Ｒ32）＜１．０
ただし、Ｒ31は第３レンズ群の正レンズの物体側面の光軸上における曲率半径、Ｒ32は第３レンズ群の正レンズの像側面の光軸上における曲率半径である。
【請求項３３】
広角端から望遠端に変倍する際、前記第３レンズ群の移動量ｘ3 が以下の条件（１２）を満足することを特徴とする請求項１６、１７、３０、３１、３２の何れか１項記載の電子撮像装置。
（１２）  −０．５＜ｘ3 ／√（ｆW ・ｆT ）＜０．５
ただし、ｆW は広角端における全系の焦点距離（無限遠物点合焦時）、ｆT は望遠端における全系の焦点距離（無限遠物点合焦時）である。
【請求項３４】
広角端から望遠端に変倍する際、前記第３レンズ群の移動量ｘ3 が前記第２レンズ群と第３レンズ群の空気間隔の変化量ｘ2-3 に対して以下の条件（Ｂ）を満足することを特徴とする請求項１６、１７、３０、３１、３２の何れか１項記載の電子撮像装置。
（Ｂ）    ０．００5 ＜｜ｘ3 ／（γ×ｘ2-3 ）｜＜０．０５
ただし、γは広角端から望遠端までのズーム比である。
【請求項３５】
以下の条件（１３）を満足することを特徴とする請求項１〜３４の何れか１項記載の電子撮像装置。
（１３）  Δ（１／EXP ）・√（ｆW ・ｆT ）＜１
ただし、ｆW は広角端における全系の焦点距離（無限遠物点合焦時）、ｆT は望遠端における全系の焦点距離（無限遠物点合焦時）であり、Δ（１／EXP ）は射出瞳位置の逆数の変化量であり、以下の式で表される。
Δ（１／EXP ）＝｜（１／EXPT）−（１／EXPW）｜
ただし、EXPTは望遠端における射出瞳位置、EXPWは広角端における射出瞳位置である。
【請求項３６】
前記ズームレンズの変倍比が２．４以上であることを特徴とする請求項１〜３５の何れか１項記載の電子撮像装置。
【請求項３７】
前記ズームレンズの変倍比が２．８以上であることを特徴とする請求項１〜３５の何れか１項記載の電子撮像装置。
【請求項３８】
前記第１レンズ群の最も物体側の面と最も像側の面が非球面であることを特徴とする請求項１〜３７の何れか１項記載の電子撮像装置。
【請求項３９】
前記第２レンズ群の最も物体側の面と最も像側の面が非球面であることを特徴とする請求項１〜３７の何れか１項記載の電子撮像装置。
【請求項４０】
前記第１レンズ群の正レンズの両面が非球面であることを特徴とする請求項１〜３７の何れか１項記載の電子撮像装置。
【請求項４１】
前記第１レンズ群及び前記第２レンズ群に含まれる全ての負レンズが物体側に凸面を向けたメニスカスレンズであることを特徴とする請求項１〜３７の何れか１項記載の電子撮像装置。
【請求項４２】
前記第２レンズ群の前記正レンズの物体側の面は像側面よりも強い屈折力を持つ面であることを特徴とする請求項１〜３７の何れか１項記載の電子撮像装置。
【請求項４３】
前記第１レンズ群の前記負レンズが以下の条件（１４）を満足することを特徴とする請求項１〜３７の何れか１項記載の電子撮像装置。
（１４）  −０．３＜ｆW ／Ｒ11＜０．４
ただし、Ｒ11は第１レンズ群の物体側から１番目のレンズ面の光軸近傍（光軸上）の曲率半径、ｆW は広角端における全系の焦点距離（無限遠物点合焦時）である。
【請求項４４】
前記第１レンズ群の前記正レンズの物体側に接する光軸上の空気間隔が以下の条件（１５）を満足することを特徴とする請求項１５〜３７の何れか１項記載の電子撮像装置。
（１５）  ０．３＜ｄNP／ｆW ＜１
ただし、ｄNPは前記第１レンズ群の前記正レンズの物体側に接する光軸上の空気間隔、ｆW は広角端における全系の焦点距離（無限遠物点合焦時）である。
【請求項４５】
前記第１レンズ群の前記正レンズの物体側に接する光軸上の空気間隔が以下の条件（１５）* を満足することを特徴とする請求項１５〜３７の何れか１項記載の電子撮像装置。
（１５）* １＜｜ｄNP／ｆ1 ｜＜３
ただし、ｄNPは前記第１レンズ群の前記正レンズの物体側に接する光軸上の空気間隔、ｆ1 は第１レンズ群の焦点距離である。
【請求項４６】
前記第１レンズ群が以下の条件（１６）を満足することを特徴とする請求項１〜３７の何れか１項記載の電子撮像装置。
（１６）  ０．４＜ｔ1 ／Ｌ＜２．２
ただし、ｔ1 は第１レンズ群の最も物体側のレンズ面から最も像側のレンズ面までの光軸上の厚み、Ｌは電子撮像素子の有効撮像領域の対角長である。
【請求項４７】
物体側より順に、負のパワーを持つ第１レンズ群と、正のパワーを持つ第２レンズ群とを有し、前記第１レンズ群が、光軸上の面がそれぞれ物体側に凸面を向けた負メニスカスレンズと正メニスカスレンズを有し、前記正メニスカスレンズの物体側面は、屈折面有効部の中の最周辺部が、光軸近傍の曲率中心の存在する方向と反対側へ凹形状となる非球面であるズームレンズ、及び、前記ズームレンズの像面側に配された電子撮像素子を有することを特徴とする電子撮像装置。
【請求項４８】
物体側より順に、負のパワーを持つ第１レンズ群と、正のパワーを持つ第２レンズ群とを有し、前記第１レンズ群が、像面側に凹面を向けた負レンズと、光軸上の面がそれぞれ物体側に凸面を向けた正メニスカスレンズを有し、前記正メニスカスレンズの物体側面は、屈折面有効部の中の最周辺部が、光軸近傍の曲率中心の存在する方向と反対側へ凹形状となる非球面であり、かつ、以下の条件（Ａ）を満足するズームレンズ、及び、前記ズームレンズの像面側に配された電子撮像素子を有することを特徴とする電子撮像装置。
（Ａ）    −５．０＜（Ｒ13＋Ｒ14）／（Ｒ13−Ｒ14）＜−１．７
ただし、Ｒ13は前記第１レンズ群の正メニスカスレンズの物体側面の曲率半径、Ｒ14は前記第１レンズ群の正メニスカスレンズの像面側面の曲率半径である。
【請求項４９】
以下の条件（１７）を満足することを特徴とする請求項１〜４７の何れか１項記載の電子撮像装置。
（１７）  −１＜ｆ1 ／Ｒ11＜０．５
ただし、ｆ1 は第１レンズ群の焦点距離、Ｒ11は第１レンズ群の最も物体側の面の光軸近傍（光軸上）の曲率半径である。
【請求項５０】
前記第１レンズ群中の前記正レンズは両面共光軸近傍（光軸上）の曲率半径が正の値の正メニスカスレンズであり、かつ、それぞれの面の屈折面有効部の中の最周辺部が、光軸近傍の曲率中心の存在する方向と反対側へ凹形状となる非球面であり、第１レンズ群中の負レンズを１枚のみとし、前記第１レンズ群を２枚のレンズで構成したことを特徴とする請求項１５〜４９の何れか１項記載の電子撮像装置。
【請求項５１】
以下の条件（１８）、（１９）を満足することを特徴とする請求項５０記載の電子撮像装置。
（１８）  −２．５＜ｆ1 ／Ｒ13＜−０．５
（１９）  −１．５＜ｆ1 ／Ｒ14＜０．５
ただし、ｆ1 は第１レンズ群の焦点距離、Ｒ13は前記第１レンズ群の正メニスカスレンズの物体側面の曲率半径、Ｒ14は前記第１レンズ群の正メニスカスレンズの像面側面の曲率半径である。
【請求項５２】
前記ズームレンズの広角端における半画角ωW が以下の条件（２０）を満足することを特徴とする請求項１〜５１の何れか１項記載の電子撮像装置。
（２０）  ２８°＜ωW ＜４０°
【請求項５３】
前記ズームレンズの望遠端における開放Ｆ値ＦT が以下の条件（２１）を満足することを特徴とする請求項１〜５２の何れか１項記載の電子撮像装置。
（２１）  ２．７＜ＦT ＜５
【請求項５４】
前記ズームレンズの広角端から望遠端におけるズーム比γが以下の条件（２２）を満足することを特徴とする請求項１〜５３の何れか１項記載の電子撮像装置。
（２２）  ２＜γ＜４
【請求項５５】
各々の間隔を変化させ焦点距離を変更させる複数のレンズ群と、光路中に配されかつ少なくとも軸上光束径を制限する開口絞りとを有するズームレンズ、及び、その像側に配された電子撮像素子を備えた電子撮像装置において、前記開口絞りは絞り形状が固定であり、前記開口絞りの配される空間とは異なる位置の空間の光軸上に透過率変更にて光量調整を行うフィルターを配したことを特徴とする電子撮像装置。
【請求項５６】
請求項５５において、望遠端における開放ＦナンバーＦが、前記電子撮像素子の最小画素ピッチａ（単位ｍｍ）に対し、
１．５×１０3 ×ａ／１ｍｍ＜Ｆのとき、
撮像面の垂直方向又は水平方向の前記開口絞りの長さが、撮像面の対角方向の前記開口絞りの長さに対して長いか、若しくは、
望遠端における開放ＦナンバーＦが、前記電子撮像素子の最小画素ピッチａ（単位ｍｍ）に対し、
１．５×１０3 ×ａ／１ｍｍ＞Ｆのとき、
撮像面の垂直方向又は水平方向の前記開口絞りの長さが、撮像面の対角方向の前記開口絞りの長さに対して短い、ことを特徴とする電子撮像装置。
【請求項５７】
請求項５５において、前記ズームレンズにおける可変の空気間隔の中で最小の空気間隔、又は、一定の空気間隔の中で最も長い空気間隔中に、前記フィルターを配したこと特徴とする電子撮像装置である。
【請求項５８】
請求項５５において、前記光量調整を行うフィルターは、中心部の透過率に対して周辺部の透過率を高くした透過面を少なくとも１つ有することを特徴とする電子撮像装置。
【請求項５９】
請求項５５において、前記光量調整を行うフィルターを光軸に対して傾ける配置が可能なことを特徴とする電子撮像装置。
【請求項６０】
請求項５５において、前記開口絞りは、変倍時若しくは合焦点動作の際に、可変の空気間隔を挟む前後のレンズ群の間に配され、前記光量調整を行うフィルターは前記空気間隔とは異なる位置に配されることを特徴とする電子撮像装置。
【請求項６１】
請求項５５から６０の何れか１項において、前記開口絞りは、その開口絞りから光軸に下ろした垂線と光軸との交わる位置が、レンズ群中のレンズ媒質内に位置することを特徴とする電子撮像装置。
【請求項６２】
請求項６１において、前記開口絞りは、前記レンズ群中の何れかのレンズ面に接して設けられることを特徴とする電子撮像装置。
【請求項６３】
請求項５５から６２の何れか１項において、前記開口絞りを、光軸側に開口を設けた口径板としたことを特徴とする電子撮像装置。
【請求項６４】
請求項５５から６３の何れか１項において、前記ズームレンズは少なくとも負の屈折力のレンズ群と、その像側直後に配された正の屈折力のレンズ群とを有し、広角端よりも望遠端にて前記負の屈折力のレンズ群と前記正の屈折力のレンズ群との間隔が減少し、前記開口絞りを前記負の屈折力のレンズ群の最も像側面から前記正の屈折力のレンズ群の像側面の間に配し、前記光量調整を行うフィルターを前記開口絞りよりも像面側に配したことを特徴とする電子撮像装置。
【請求項６５】
請求項６４において、前記負のレンズ群を最も物体側に配置したことを特徴とする電子撮像装置。
【請求項６６】
請求項６４において、前記ズームレンズは、物体側から順に、前記負の屈折力を有するレンズ群と、前記正の屈折力を有するレンズ群とを有し、変倍時に可動のレンズ群は前記負の屈折力を有するレンズ群と前記正の屈折力を有するレンズ群の２つのレンズ群のみであることを特徴とする電子撮像装置。
【請求項６７】
請求項６４において、前記ズームレンズは、物体側から順に、前記負の屈折力を有するレンズ群と、前記正の屈折力を有するレンズ群との２つのレンズ群のみであることを特徴とする電子撮像装置。
【請求項６８】
請求項６４から６７の何れか１項において、前記開口絞りは、前記正の屈折力のレンズ群直前の空気間隔中に配されことを特徴とする電子撮像装置。
【請求項６９】
請求項６４から６８の何れか１項において、前記光量調整を行うフィルターは、前記正の屈折力のレンズ群の直後の空気間隔中に配することを特徴とする電子撮像装置。
【請求項７０】
請求項５５から６９の何れか１項において、前記開口絞りとそれよりも像側の前記光量調整を行うフィルターの入射面との光軸上の距離をα、前記光量調整を行うフィルターの入射面と前記電子撮像素子における撮像面までの光軸上での距離をβとしたときに、常に以下の条件を満足することを特徴とする電子撮像装置。
（２４）  ０．０１＜α／β＜１．０
【請求項７１】
請求項５５から７０の何れか１項において、前記開口絞りの開口の最大開口径（直径）をφα、前記光量調整を行うフィルターの最大有効径（対角長）をφβとするときに、以下の条件を満足することを特徴とする電子撮像装置。
（２５）  ０．５＜φβ／φα＜１．５
【請求項７２】
請求項５５から７１の何れか１項において、前記開口絞りは可変間隔に配され、前記開口絞りの直前のレンズ面及び直後のレンズ面は共に像側に凹面を向け、前記開口絞りの外形が、光軸から離れる程像側に傾いた漏斗形状であることを特徴とする電子撮像装置。
【請求項７３】
請求項５５から７２の何れか１項において、前記光量調整を行うフィルターは、光路中に挿脱可能に構成されていることを特徴とする電子撮像装置。
【請求項７４】
請求項７３において、前記光量調整を行うフィルターは、光軸上から退避する際に面が光軸と平行に近づく方向に揺動することを特徴とする電子撮像装置。
【請求項７５】
各々の間隔を変化させ焦点距離を変更させる複数のレンズ群と、光路中に配されかつ少なくとも軸上光束径を制限する開口絞りとを有するズームレンズ、及び、その像側に配された電子撮像素子を備えた電子撮像装置において、前記開口絞りは絞り形状が固定であり、前記開口絞りの配される空間とは異なる位置の空間の光軸上にシャッターを配したことを特徴とする電子撮像装置。
【請求項７６】
請求項７５において、前記開口絞りは、変倍時若しくは合焦点動作の際に、可変の空気間隔を挟む前後のレンズ群の間に配され、前記シャッターは前記空気間隔とは異なる位置に配されることを特徴とする電子撮像装置。
【請求項７７】
請求項７５又は７６において、前記開口絞りは、その開口絞りから光軸に下ろした垂線と光軸との交わる位置が、レンズ群中のレンズ媒質内に位置することを特徴とする電子撮像装置。
【請求項７８】
請求項７７において、前記開口絞りは、前記レンズ群中の何れかのレンズ面に接して設けられることを特徴とする電子撮像装置。
【請求項７９】
請求項７５から７８の何れか１項において、前記開口絞りを、光軸側に開口を設けた口径板としたことを特徴とする電子撮像装置。
【請求項８０】
請求項７５から７９の何れか１項において、前記ズームレンズは少なくとも負の屈折力のレンズ群と、その像側直後に配された正の屈折力のレンズ群とを有し、広角端よりも望遠端にて前記負の屈折力のレンズ群と前記正の屈折力のレンズ群との間隔が減少し、前記開口絞りを前記負の屈折力のレンズ群の最も像側面から前記正の屈折力のレンズ群の像側面の間に配し、前記シャッターを前記開口絞りよりも像面側に配したことを特徴とする電子撮像装置。
【請求項８１】
請求項８０において、前記負のレンズ群を最も物体側に配置したことを特徴とする電子撮像装置。
【請求項８２】
請求項８０において、前記ズームレンズは、物体側から順に、前記負の屈折力を有するレンズ群と、前記正の屈折力を有するレンズ群とを有し、変倍時に可動のレンズ群は前記負の屈折力を有するレンズ群と前記正の屈折力を有するレンズ群の２つのレンズ群のみであることを特徴とする電子撮像装置。
【請求項８３】
請求項８０において、前記ズームレンズは、物体側から順に、前記負の屈折力を有するレンズ群と、前記正の屈折力を有するレンズ群との２つのレンズ群のみであることを特徴とする電子撮像装置。
【請求項８４】
請求項８０から８３の何れか１項において、前記開口絞りは、前記正の屈折力のレンズ群直前の空気間隔中に配されことを特徴とする電子撮像装置。
【請求項８５】
請求項８０から８４の何れか１項において、前記シャッターは、前記正の屈折力のレンズ群の直後の空気間隔中に配することを特徴とする電子撮像装置。
【請求項８６】
請求項７５から８５の何れか１項において、前記開口絞りとそれよりも像側の前記シャッターとの光軸上の距離をα’、前記シャッターと前記電子撮像素子における撮像面までの光軸上での距離をβ’としたときに、常に以下の条件を満足することを特徴とする電子撮像装置。
（２６）  ０．０１＜α’／β’＜１．０
【請求項８７】
請求項７５から８６の何れか１項において、前記開口絞りの開口の最大開口径（直径）をφα、前記シャッターの最大有効径（対角長）をφβ’とするときに、以下の条件を満足することを特徴とする電子撮像装置。
（２７）  ０．５＜φβ’／φα＜１．５
【請求項８８】
請求項７５から８７の何れか１項において、前記開口絞りは可変間隔に配され、前記開口絞りの直前のレンズ面及び直後のレンズ面は共に像側に凹面を向け、前記開口絞りの外形が、光軸から離れる程像側に傾いた漏斗形状であることを特徴とする電子撮像装置。